(57)【要約】      （修正有）【課題】エラー検出コーディングを伴わない送信のための消去検出および電力制御を実行するための技術を提供する。【解決手段】消去検出の場合、送信機は無線チャネルを介してコードワードを送信する。受信機は各受信されたコードワードのための測定基準を計算し、計算された測定基準を消去しきい値と比較し（３１６）、受信されたコードワードは「消去される」または「消去されない」と宣言する。受信機は、コードワードが消去しきい値を満足するか否かに基づいて送信電力を動的に調節する。【選択図】図３Ａ
2011055506.tif 000002
【特許請求の範囲】
【請求項１】
通信システムにおいて電力制御を実行する方法において、
第１の無線リンクを介してコードワードを受信することと、
前記コードワードが前記消去しきい値内にあったかどうかに基づいて前記電力を調節するためのメッセージを発生することと、
前記メッセージを第２無線リンク上に送信することと、
を備えた方法。
【請求項２】
前記コードワードが前記消去しきい値内にあると決定されたなら、前記電力を減少するためのメッセージを発生する行為を更に備えた、請求項１に記載の方法。
【請求項３】
前記コードワードが前記消去しきい値内にないと決定されたなら、前記電力を増加するためにメッセージを発生する行為をさらに備えた、請求項１に記載の方法。
【請求項４】
前記電力を減少するためにメッセージを発生する行為は、目標消去レートを用いてステップダウン値を決定する行為を備えた、請求項２に記載の方法。
【請求項５】
前記電力を増加するためにメッセージを発生する行為は、目標消去レートを用いてステップアップ値を決定する行為を備えた、請求項３に記載の方法。
【請求項６】
前記電力を増加するためにメッセージを発生する行為は、第１の物理チャネルのためのメッセージを発生する行為を備えた、請求項３に記載の方法。
【請求項７】
要求される同じタイプの電力レベル調節の数に基づいて前記消去しきい値を調節する行為をさらに備えた、請求項１に記載の方法。
【請求項８】
前記送信することは、符号分割多重アクセス（ＣＤＭＡ）スキームに従って送信する行為をさらに備えた、請求項１に記載の方法。
【請求項９】
前記送信することは、直交周波数分割多重（ＯＦＤＭ）スキームに従って送信する行為をさらに備えた、請求項１に記載の方法。
【請求項１０】
前記送信する行為は、直交周波数分割多重アクセス（ＯＦＤＭＡ）スキームに従って送信する行為を備えた、請求項１に記載の方法。
【請求項１１】
通信システムにおいて電力制御を実行する装置において、
第１の無線リンクを介してコードワードを受信する手段と、
前記コードワードのための手段が前記消去しきい値内にあったかどうかに基づいて前記電力を調節するためにメッセージを発生する手段と、
前記メッセージを第２の無線リンクに送信する手段と、
を備えた装置。
【請求項１２】
前記コードワードが前記消去しきい値内にあると決定されるなら、前記電力を減少するためにメッセージを発生する手段をさらに備えた、請求項１１に記載の装置。
【請求項１３】
前記コードワードが前記消去しきい値内にないと決定されたなら、前記電力を増加するためにメッセージを発生する手段をさらに備えた、請求項１１に記載の装置。
【請求項１４】
前記電力を減少するためにメッセージを発生するための前記手段は、目標消去レートを用いてステップダウン値を決定する手段を備えた、請求項１２に記載の装置。
【請求項１５】
前記電力を増加するためにメッセージを発生する前記手段は、目標消去レートを用いてステップアップ値を決定する手段を備えた、請求項１３に記載の装置。
【請求項１６】
前記電力を増加するためにメッセージを発生する前記手段は、第１の物理チャネルのためのメッセージを発生する手段を備えた、請求項１３に記載の装置。
【請求項１７】
要求される同じタイプの電力レベル調節の数に基づいて前記消去しきい値を調節する手段をさらに備えた、請求項１１に記載の装置。
【請求項１８】
無線通信システムにおいて、
電子装置であって、第１の無線リンクを介してコードワードを受信し、前記コードワードが前記消去しきい値内にあったかどうかに基づいて前記電力を調節するためにメッセージを発生し、前記メッセージを第２の無線リンク上に送信するように構成される電子装置を備えた装置。
【請求項１９】
前記電子装置は、前記コードワードが前記消去しきい値内にあると決定されるなら前記電力を減少するためにメッセージを発生するようにさらに構成される、請求項１８に記載の装置。
【請求項２０】
前記電子装置は、前記コードワードが前記消去しきい値内になかったと決定されるなら、前記電力を増加するためにメッセージを発生するようにさらに構成される、請求項１８に記載の装置。
【請求項２１】
前記電子装置は、目標消去レートを用いてステップダウン値を決定するようにさらに構成される、請求項１９に記載の装置。
【請求項２２】
前記電子装置は、目標消去レートを用いてステップアップ値を決定するようにさらに構成される、請求項２０に記載の装置。
【請求項２３】
前記電子装置は、第１の物理チャネルのためのメッセージを発生するようにさらに構成される、請求項２０に記載の装置。
【請求項２４】
機械により実行されるとき、
第１の無線リンクを介してコードワードを受信することと、
前記コードワードが前記消去しきい値内にあったかどうかに基づいて前記電力を調節するためにメッセージを発生することと、
前記メッセージを第２の無線リンク上に送信することと、
を含む動作を機械に実行させる命令を備えた機械読み取り可能媒体。
【請求項２５】
前記コードワードが前記消去しきい値内にあると決定されたなら、前記電力を減少するために機械にメッセージを発生させるための機械読み取り可能命令をさらに備える、請求項２４の機械読み取り可能媒体。
【請求項２６】
前記コードワードが前記消去しきい値内にないと決定されたなら前記電力を増加するために前記機械にメッセージを発生させる機械読み取り可能命令をさらに備えた、請求項２４の機械読み取り可能媒体。
【発明の詳細な説明】
【技術分野】
【０００１】
関連出願のクロスリファレンス
この特許出願は、２００４年７月１３日に出願された「堅固な消去検出および消去レートベース閉ループ電力制御」(Robust Erasure Detection and Erasure-Rate-Based Closed Loop Power Control)というタイトルの特許出願第１０／８９０，７１７、および２００４年７月２２日に出願された「直交多重化を利用した無線通信システムのための電力制御」(Power Control for a Wireless Communication System Utilizing Orthogonal Multiplexing)というタイトルの特許出願第１０／８９７，４６３の一部継続出願である。これら両方の特許出願は、２００４年６月１８日に出願された「リバースリンク電力制御アルゴリズム」(Reverse-Link Power Control Algorithm)というタイトルの特許出願第６０／５８０、８１９に対する優先権を主張する。これらの出願は係属しており、この出願の譲受人に譲渡され参照することによりここに組み込まれる。
【０００２】
この発明は一般にデータ通信に関し、特に無線通信システムにおいて消去検出を用いて電力制御を調節するための技術に関する。
【背景技術】
【０００３】
無線多重アクセス通信システムは複数の無線端末のための通信を同時にサポートすることができる。各端末はフォワードリンクおよびリバースリンク上の送信を介して１つ以上の基地局と通信する。フォワードリンク（またはダウンリンク）は、基地局から端末への通信リンクを指し、リバースリンク（またはアップリンク）は端末から基地局への通信リンクを指す。
【０００４】
複数の端末は、送信が互いに直交するように多重化することによりリバースリンク上で同時に送信してもよい。多重化は、時間領域、周波数領域、および／またはコード領域における複数のリバースリンク送信の中で直交性を達成しようと試みる。達成されるなら、完全な直交性は、受信基地局における他の端末からの送信と干渉しない各端末からの送信を生じる。しかしながら、チャネル条件、受信機の欠陥等により異なる端末からの送信のうちで完全な直交性はしばしば実現されない。直交性の損失により各端末は、他の端末に対してある量の干渉を生じ結果となる。従って、各端末の性能は全ての他の端末からの性能により劣化される。
【０００５】
リバースリンク上で、すべての端末に対して良好な性能を保証するために各端末の送信電力を制御するために電力制御機構が使用されてもよい。この電力制御機構は２つの電力制御ループで通常実施される。この２つの電力制御ループはしばしば「内側の」ループおよび「外側の」ループと呼ばれる。内側のループは、受信基地局で測定される受信信号品質が目標ＳＮＲで維持されるように端末の送信電力を調節する。外側のループは、所望のブロックエラーレート（ＢＬＥＲ）またはパケットエラーレート（ＰＥＲ）を維持するために目標ＳＮＲを調節する。
【０００６】
一般的な電力制御機構は、所望のブロック／パケットエラーレートが端末からのリバースリンク送信に対して達成されるように各端末の送信電力を調節する。周期的冗長検査（ＣＲＣ）コードのようなエラー検出コードは、各受信されたブロック／パケットが正しくまたはエラーでデコードされたかどうかを決定するために典型的に使用される。従って、目標ＳＮＲはエラー検出デコーディングの結果に基づいてそれに応じて調節される。しかしながら、例えば、エラー検出コードのためのオーバーヘッドが過度であると考えられるなら、エラー検出コードは、いくつかの送信のために使用されなくてもよい。エラー検出コードに依存する一般的な電力制御機構は、これらの送信に対して直接使用することはできない。
【０００７】
それゆえ、エラー検出コーディングが使用されないとき、送信のための送信電力を適切に送信する技術的必要性がある。
【発明の概要】
【０００８】
従って、通信システムにおいて電力制御を実行するための方法が提供される。この方法は、第１の無線リンクを介してコードワードを受信することと、コードワードが消去しきい値を満足しないと決定されたなら電力を増加するためにメッセージを発生することと、コードワードが消去しきい値を満足されたと決定されたなら電力を減少するためのメッセージを発生し、メッセージを第２の無線リンク上に送信することとを備える。
【０００９】
この発明の種々の観点および実施形態は以下にさらに詳細に記載される。
【図面の簡単な説明】
【００１０】
本発明の特徴、性質及び利点は、類似による参照文字が相応して、全体で特定する図面と関連して解釈されるときに後述される詳細な説明からさらに明らかになるであろう。
【図１】図１は無線多重アクセス通信システムを示す。
【図２】図２は３つのループを有した電力制御機構を示す
【図３Ａ】図３Ａは図２に示される電力制御機構のための第２および第３のループを更新するためのプロセスを示す。
【図３Ｂ】図３Ｂは図２に示される電力制御機構のための第２および第３のループを更新するためのプロセスを示す。
【図４】図４は電力制御機構のためのプロセス４００のフロー図を示す。
【図５】図５は、データ送信スキームのためのデータチャネルおよび制御チャネルを示す。
【図６】図６は、基地局と端末のブロック図を示す。
【発明を実施するための形態】
【００１１】
「例示」という言葉はここでは、例、インスタンス、または例証として機能することを意味するために使用される。「例示」としてここに記載される設計の任意の実施形態は、他の実施形態または設計に対して好適であるまたは利点があると必ずしも解釈されない。
【００１２】
図１は無線多重アクセス通信システムを示す。システム１００は多数の無線端末１２０のための通信をサポートする多数の基地局１１０を含む。基地局は端末と通信するために使用される固定局であり、アクセスポイント、ノードＢまたはその他の用語で呼ばれてもよい。端末１２０は典型的にシステム全体にわたって分散されており、各端末は固定であってもよいしモバイルであってもよい。また、端末は移動局、ユーザー機器（ＵＥ）、無線通信装置、またはその他の用語で呼ばれてもよい。各端末はいつなんどきでもフォワードリンクとリバースリンク上の１つ以上の基地局と通信してもよい。これは、端末がアクティブであるかどうか、ソフトハンドオフがサポートされているかどうか、および端末がソフトハンドオフ状態にあるかどうかに依存する。簡単にするために、図１はリバースリンク上の送信のみを示す。システムコントローラー１３０は基地局１１０に接続し、これらの基地局のための調整と制御を提供し、さらにこれらの基地局によりサービスされる端末のためのデータのルーティングを制御する。
【００１３】
ここに記載された消去検出技術および電力制御技術は種々の無線通信システムに使用されてもよい。例えば、これらの技術は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム等に使用されてもよい。ＣＤＭＡシステムは符号分割多重化を使用し、異なる端末のための送信は、フォワードリンクのた
めの異なる直交（例えばウオルシュ）符号を用いて直交化される。端末はＣＤＭＡ内のリバースリンクに対して異なる擬似乱数（ＰＮ）を使用し、互いに完全に直交しない。ＴＤＭＡシステムは、時間分割多重化を使用し、異なる端末のための送信は異なる時間間隔における送信によって直交化される。ＦＤＭＡシステムは周波数分割多重化を使用し、異なる端末のための送信は、異なる周波数サブバンドで送信することにより直交化される。ＯＦＤＭＡシステムは直交周波数分割多重化（ＯＦＤＭ）を利用する。ＯＦＤＭは全体のシステム帯域幅を多数の直交周波数サブバンドに効率的に分割する。また、これらのサブバンドは一般的にトーン、サブキャリア、ビン、および周波数チャネルと呼ばれる。ＯＦＤＭＡシステムは、種々の直交多重化スキームを使用してもよく、時間分割多重化、周波数分割多重化、および／または符号分割多重化の任意の組み合わせを採用してもよい。
【００１４】
ここに記載された技術は、エラー検出コーディングを採用しない種々のタイプの「物理」チャネルに使用されてもよい。また、物理チャネルは符号チャネル、トランスポートチャネルまたはその他の用語で呼ばれてもよい。物理チャネルは典型的に、トラヒック／パケットデータを送信するために使用される「データ」チャネルと、オーバーヘッド／制御データを送信するために使用される「制御」チャネルを含む。システムは異なるタイプの
制御情報を送信するために異なる制御チャネルを採用してもよい。例えば、システムは（１）無線チャネルの品質を示すチャネル品質インジケーター（ＣＱＩ）を送信するためにＣＱＩチャネルを使用してもよく、（２）ハイブリッド自動再送信（Ｈ−ＡＲＱ）スキームのためのアクノレジメント（ＡＣＫ）を送信するためにＡＣＫチャネルを使用してもよく、（３）データ送信のための要求を送信するためのＲＥＱチャネルを使用してもよい、等である。たとえエラー検出コーディングが使用されなくても、物理チャネルは他のタイプのコーディングを採用してもよいし、または採用しなくてもよい。例えば、物理チャネルは任意のコーディングを採用しなくてもよく、データは「明瞭に」物理チャネル上に送信される。また、物理チャネルはブロックコーディングを採用してもよい。それにより、データの各ブロックは符号化され、符号化されたデータの対応するブロックを得、次に物理チャネル上に送信される。ここに記載された技術は、これらの異なる物理（データ及び制御）チャネルの任意のおよびすべてのチャネルのために使用されてもよい。
【００１５】
明確にするために、消去検出技術および電力制御技術は、リバースリンクのために使用される例示制御チャネルのために特に以下に記載される。この制御チャネル上の異なる端末からの送信は、周波数、時間、および／または符号空間において直交的に多重化されてもよい。完全な直交性の場合、干渉は、制御チャネル上の各端末により観察されない。しかしながら、周波数選択フェージング（またはシステム帯域幅にわたる周波数応答の変化）および（移動による）ドップラーの存在下で、異なる端末からの送信は受信基地局にお
いて互いに直交しないかもしれない。
【００１６】
データは、ブロックで例示制御チャネル上に送信される。各ブロックは、所定数（Ｌ）のデータビットを含む。各データブロックはブロックコードで符号化され、対応するコードワードまたは符号化されたデータブロックを得る。各データブロックはＬビットを含んでいるので、各異なるデータブロックに対して１つのコードワードの割合で、コードブック内の２＜Ｌ＞の可能なコードワードにマッピングされる２＜Ｌ＞の可能な異なるデータブロックがある。端末は、データブロックのためのコードワードを制御チャネル上に送信する。
【００１７】
基地局は異なる端末により制御チャネル上に送信されたコードワードを受信する。基地局は各受信されたコードワードに対して相補的なブロックデコーディングを実行し、デコードされたデータブロックを得る。デコードされたデータブロックは、受信されたコードワードに対して送信された可能性が最も高いと考えられるデータブロックである。ブロックデコーディングは種々の方法で実行されてもよい。例えば、基地局は受信したコードワードと、コードブック内の２＜Ｌ＞の可能な有効なコードワードの各々との間のユークリッド距離を計算してもよい。一般に、受信したコードワードが有効コードワードに近ければ近いほど、受信したコードワードと与えられた有効コードワードとの間のユークリッド距離は短く、受信したコードワードが有効コードワードに遠ければ遠いほど長い。受信されたコードワードに対して最も短いユークリッド距離を備えた有効コードワードに対応するデータブロックは、受信されたコードワードのためのデコードされたデータブロックとして供給される。
【００１８】
一例としてデータブロックのためのＬデータビットは、特定の変調スキーム（例えば、ＢＰＳＫ、ＱＰＳＫ、Ｍ−ＰＳＫ、Ｍ−ＱＡＭ等）のためのＫの変調シンボルを含むコードワードにマッピングされてもよい。各有効コードワードはＫの変調シンボルの異なるセットに関連する。２＜Ｌ＞の可能な有効コードワードのための変調シンボルの２＜Ｌ＞セットは、できるだけ互いに（ユークリッド距離において）離れるように選択されてもよい。従って、受信されたコードワードはＫの受信されたシンボルを含むであろう。この場合、各受信されたシンボルは送信された変調シンボルの雑音のあるバージョンである。受信されたコードワードと与えられた有効コードワードとの間のユークリッド距離は次のように計算されてもよい。
【数１】
2011055506.tif 000003
【００１９】
但し、
【数２】
2011055506.tif 000004
【００２０】
は、受信されたコードワードｋのためのｊ番目の受信されたシンボルである。ｓi（ｊ）は有効コードワードｉのためのｊ番目の変調シンボルである。ｄi（ｋ）は、受信されたコードワードｋと有効コードワードｉとの間のユークリッド距離である。
【００２１】
方程式（１）は、受信されたコードワードのためのＫの受信されたシンボルと有効コードワードのためのＫの変調シンボルとの間の平均二乗誤差としてユークリッド距離を計算する。最も小さなｄi（ｋ）を有した有効コードワードに対応するデータブロックは、受信されたコードワードのためのデコードされたデータブロックとして供給される。
【００２２】
エラー検出コードなくして、あたえられた受信されたコードワードのブロックデコーディングが正しいか誤りであるかどうかを決定するための直接的な方法はない。デコードされたデータブロックは実際には送信されたデータブロックである。距離関数は定義されてもよく、デコーディング結果における信頼の表示を提供するために使用されてもよい。一実施形態において、距離関数は以下のように定義されてもよい。
【数３】
2011055506.tif 000005
【００２３】
但し、ｄn1（ｋ）は、受信されたコードワードｋと、最も近い有効コードワードとの間のユークリッド距離である。
【００２４】
ｄn2（ｋ）は、受信されたコードワードｋと、次に最も近い有効コードワードとの間のユークリッド距離である。
【００２５】
ｍ（ｋ）は受信されたコードワードｋのための距離関数である。
【００２６】
受信されたコードワードが、次に最も近いコードワードよりも、最も近いコードワードに大変近いなら、距離関数ｍ（ｋ）は小さな値であり、デコードされたデータブロックが正しいという高い信頼度がある。反対に、受信されたコードワードが、最も近いコードワードと、次に最も近いコードワードにほぼ等しい距離を有するなら、距離関数ｍ（ｋ）は１に近づく、すなわち、ｍ（ｋ）→１であり、デコードされたデータブロックが正しいという信頼が少ない。
【００２７】
方程式（２）はユークリッド距離の比に基づく例示距離関数を示し、与えられた受信されたコードワードのブロックデコーディングが正しいかまたはエラーであるかどうかを決定するために使用されてもよい。また、消去検出のために他の距離関数を使用してもよく、これはこの発明の範囲内である。一般に、距離関数は任意の適切な信頼性関数ｆ（ｒ，Ｃ）に基づいて定義されてもよい。但しｒは受信されたコードワードであり、Ｃはすべての可能なコードワードのコードブックまたは収集物である。関数ｆ（ｒ，Ｃ）は、受信されたコードワードの品質／信頼性を示さなければならず、適切な特性（例えば、検出信頼性を有した単調）を有さなければならない。
【００２８】
各受信されたコードワードのためのデコーディング結果が所定のレベルの信頼度を満足するかどうかを決定するために消去検出を実行してもよい。受信されたコードワードのための距離関数ｍ（ｋ）は消去しきい値ＴＨerasureと比較され、以下のように受信されたコードワードのためのデコーディング決定を得てもよい。
【数４】
2011055506.tif 000006
【００２９】
方程式（３）に示すように、受信されたコードワードは、（１）距離関数ｍ（ｋ）が消去しきい値以上なら「消去された」コードワードとして宣言され、（２）距離関数ｍ（ｋ）消去しきい値未満なら「非消去された」コードワードとして宣言される。基地局はデコードされたデータブロックを非消去されたコードワードの場合と消去されたコードワードの場合とで異なって取り扱ってもよい。例えば基地局は、次の処理のために非消去されたコードワードのためのデコードされたデータブロックを使用してもよく消去されたコードワードのためのデコードされたデータブロックを破棄してもよい。
【００３０】
受信されたコードワードを消去されたコードワードとして宣言する確率は、消去レートと呼ばれ、Ｐｒerasureとして示される。消去レートは、消去検出のために使用される消去しきい値と、受信されたコードワードのための受信された信号品質（ＳＮＲ）とに依存する。信号品質は信号対雑音比、信号対雑音および干渉比等により定量化されてもよい。
【００３１】
与えられた受信されたＳＮＲの場合、低い消去しきい値は、受信されたコードワードが消去されたコードワードとして宣言される尤度を増加させ、逆もまた同様である。与えられた消去されたしきい値の場合、低い受信されたＳＮＲはまた、受信されたコードワードが消去されたコードワードである尤度を増加させ、逆もまた同様である。与えられた消去しきい値の場合、（以下に記載するように制御チャネルのための送信電力を制御することにより）所望の消去レートを達成するように設定されてもよい。
【００３２】
消去しきい値は、制御チャネルのための所望の性能を達成するように設定されてもよい。例えば、非消去されたコードワードに対してエラー条件づけされた確率は、条件エラーレートと呼ばれ、制御チャネルのために使用されてもよい。この条件エラーレートは、Ｐｒerrorとして示され以下を意味する。受信されたコードワードが非消去されたコードワードであると宣言されるなら、受信されたコードワードのためのデコードされたデータブロックが正しくない確率はＰｒerrorである。非消去されたコードワードが宣言されるとき、低いＰｒerror（例えば、１％または０．１％）はデコーディング結果における高い信頼度に相当する。信頼できるデコーディングが重要な場合、低いＰｒerrorは、多くのタイプの送信の場合、望ましいかもしれない。所望のＰｒerrorを達成するために消去しきい値は、適切なレベルに設定されてもよい。消去レートＰｒerasure、条件エラーレートＰｒerror、消去しきい値ＴＨerasureおよび受信されたＳＮＲの間に明確な関係が存在することが期待されてもよい。特に、所定の消去しきい値および所定の受信されたＳＮＲの場合、特定の消去レートおよび特定の条件エラーレートが存在する。消去しきい値を変更することにより、消去レートと条件エラーレートとの間でトレードオフを行ってもよい。コンピューターシミュレーションおよび／または経験に基づく測定を行って、異なる消去しきい値および異なる受信されたＳＮＲｓのための消去レートと条件エラーレートとの間の関係を決定または予測してもよい。
【００３３】
しかしながら、実用的なシステムにおいては、これら４つのパラメーター間の関係は前もって知られていないかもしれず、配備シナリオに依存してもよい。例えば、所望の消去レートおよび条件エラーレートを達成することができる特定の消去しきい値は、先験的に知られていないかもしれず、時間に対して変化するかもしれない。しかし恐らくゆっくりと変化するかもしれない。さらに、シミュレーションまたはその他の手段により得られた、消去レートと条件エラーレートとの間の「予測された」関係が実際の配備において当てはまるかどうか知られていない。
【００３４】
電力制御機構を用いて消去しきい値と受信されたＳＮＲを動的に調節し、制御チャネルのための所望の性能を達成してもよい。制御チャネル性能は、目標消去レートＰｒerasure（例えば１０％消去レート、すなわちＰｒerasure＝０．１）および目標条件エラーレートＰｒerror（例えば、１％条件エラーレート、すなわちＰｒerror＝０．０１）、すなわち、（Ｐｒerasure,Ｐrerror）ペアにより定量化されてもよい。
【００３５】
図２は、消去しきい値を動的に調節するためにおよび端末から基地局に制御チャネルを介して送信された送信のための送信電力を制御するために使用されてもよい電力制御機構２００を示す。電力制御機構２００は内部ループ２１０、外部ループ２２０および第３のループ２３０を含む。
【００３６】
内部ループ２１０は基地局において測定された送信のための受信されたＳＮＲを、目標ＳＮＲにできるだけ近づけて維持しようと試みる。内部ループ２１０の場合、基地局におけるＳＮＲ推定器２４２は、送信のための受信されたＳＮＲを推定し、受信されたＳＮＲを送信電力制御（ＴＰＣ）発生器２４４に供給する。また、ＴＰＣ発生器２４４は、制御チャネルのための目標ＳＮＲを受信し、受信したＳＮＲを目標ＳＮＲと比較し、比較結果に基づいてＴＰＣコマンドを発生する。各ＴＰＣコマンドは、（１）制御チャネルのための送信電力における増加を指示するためのＵＰコマンドかまたは（２）送信電力における減少を指示するためのＤＯＷＮコマンドである。基地局はフォワードリンク（雲２６０）を介して端末にＴＰＣコマンドを送信する。
【００３７】
端末は基地局からフォワードリンク送信を受信して処理し、「受信された」ＴＰＣコマンドをＴＰＣプロセッサー２６２に供給する。各受信されたＴＰＣコマンドは基地局により送信されたＴＰＣコマンドの雑音のあるバージョンである。ＴＰＣプロセッサー２６２は各受信されたＴＰＣコマンドを検出し、ＴＰＣ決定を得る。ＴＰＣ決定は、（１）受信されたＴＰＣコマンドがＵＰコマンドであるとみなされるならＵＰ決定であってよく、（２）受信されたＴＰＣコマンドがＤＯＷＮコマンドであるとみなされるならＤＯＷＮ決定であってよい。
【００３８】
送信（ＴＸ）電力調節ユニット２６４は、ＴＰＣプロセッサー２６２からのＴＰＣ決定に基づいて制御チャネル上の送信のための送信電力を調節する。ユニット２６４は以下のように送信電力を調節してもよい。
【数５】
2011055506.tif 000007
【００３９】
但し、Ｐcch（ｎ）は内部ループ更新間隔ｎのための送信電力である。
【００４０】
ΔＰupは送信電力のためのアップステップサイズである。
【００４１】
ΔＰdnは送信電力のためのダウンステップサイズである。
【００４２】
送信電力Ｐcch（ｎ）とステップサイズΔＰupとΔＰdnはデシベル（ｄＢ）の単位である。方程式（４）に示されるように、送信電力はＵＰ決定ごとにΔＰupだけ増加され、ＤＯＷＮ決定ごとにΔＰdnだけ減少される。簡単化のために上述しなかったけれども、受信されたＴＰＣコマンドがあまりにも信頼できないとみなされるならＴＰＣ決定は「ｎｏ−ＯＰ」決定であってもよい。この場合、送信電力は同じレベルに維持されてもよい。すなわち、Ｐcch（ｎ+１）＝Ｐcch（ｎ）である。ΔＰupステップサイズとΔＰdnステップサイズは典型的に等しく、両方とも１．０ｄＢ、０．５ｄＢまたはその他の値に設定されてもよい。
【００４３】
典型的に時間に対して変化し、特にモバイル端末の場合であるが、リバースリンク（雲２４０）上の経路損失、フェージング、およびマルチパス効果により、制御チャネル上の送信のための受信されたＳＮＲは連続的に変動する。リバースリンクチャネル条件の変更の存在下で内部ループは、目標ＳＮＲまたは目標ＳＮＲ付近に受信されたＳＮＲを維持しようと試みる。
【００４４】
外部ループ２２０は、制御チャネルに対して目標消去レートが達成されるように目標ＳＮＲを連続的に調節する。距離関数計算ユニット２５２は上述したように、制御チャネルから得られた各受信されたコードワードのための距離関数ｍ（ｋ）を計算する。消去検出器２５４は、コードワードのための計算された距離関数ｍ（ｋ）および消去しきい値に基づいて各受信されたコードワードに対して消去検出を実行し、（消去されたまたは消去さ
れない）受信されたコードワードのステータスを目標ＳＮＲ調節ユニット２５６に供給する。
【００４５】
目標ＳＮＲ調節ユニット２５６は各受信されたコードワードのステータスを得、以下のように、制御チャネルのための目標ＳＮＲを調節する。
【数６】
2011055506.tif 000008
【００４６】
但し、ＳＮＲtarget（ｋ）は、外部ループ更新間隔ｋのための目標ＳＮＲである。
【００４７】
ΔＳＮＲupは目標ＳＮＲのためのアップステップサイズである。
【００４８】
ΔＳＮＲdnは目標ＳＮＲのためのダウンステップサイズである。
【００４９】
目標ＳＮＲ  ＳＮＲtarget（ｋ）とステップサイズΔＳＮＲupとΔＳＮＲdnはｄＢの単位である。受信されたコードワードが消去されないコードワードであるとみなされるならユニット２５６は、ΔＳＮＲdnだけ目標ＳＮＲを低減する。消去されないコードワードは、制御チャネルのための受信されたＳＮＲが必要よりも高いことを示すかもしれない。反対に、受信されたコードワードが消去されたコードワードであるとみなされるなら、ユニット２５６はΔＳＮＲupだけ目標ＳＮＲを増加する。消去されたコードワードは、制御チャネルのための受信されたＳＮＲが必要よりも低いことを示すかもしれない。
【００５０】
目標ＳＮＲを調節するためのΔＳＮＲupおよびΔＳＮＲdnステップサイズは以下の関係に基づいて設定されてもよい。
【数７】
2011055506.tif 000009
【００５１】
例えば、制御チャネルのための目標消去レートが１０％（またはＰｒerasure＝０．１）なら、アップステップサイズはダウンステップサイズの９倍である（またはΔＳＮＲup＝９ΔＳＮＲdn）。アップステップサイズが０．５デシベル（ｄＢ）であるように選択されるなら、ダウンステップサイズはほぼ０．０５６ｄＢである。ΔＳＮＲupとΔＳＮＲdnのためのより大きな値は外部ループ２２０のための収束をスピードアップする。ΔＳＮＲupのためのより大きな値はまた定常状態において目標ＳＮＲのより多くの変動または変化を生じる。
【００５２】
目標条件エラーレートが制御チャネルのために達成されるように消去しきい値を動的に調節する。端末は周知のコードワードを周期的にまたはトリガーされるときはいつでも制御チャネル上に送信してもよい。基地局は送信された周知のコードワードを受信する。距離関数計算ユニット２５２および消去検出器２５４は、消去しきい値に基づいておよび受信されたコードワードのための方法と同じ方法で各受信された周知のコードワードに対して消去検出を実行する。消去されないとみなされる受信された周知のコードワード毎に、デコーダー２６２は、受信された周知のコードワードをデコードし、デコードされたデータブロックが正しいかまたはエラーであるかどうかを決定する。これは、コードワードが周知であるので行うことができる。デコーダー２６２は、消去しきい値調節ユニット２６４に、各受信された周知のコードワードのステータスを供給する。これらは、（１）消去されたコードワード、（２）受信された周知のコードワードが消去されないコードワードであり、正しくデコードされるなら「良好な」コードワード、または（３）受信された周知のコードワードが消去されないコードワードであるがエラーでデコードされるなら「悪い」コードワードであってもよい。
【００５３】
消去しきい値調節ユニット２６４は受信された周知のコードワードのステータスを得、以下のように消去しきい値を調節する。
【数８】
2011055506.tif 000010
【００５４】
但し
【数９】
2011055506.tif 000011
【００５５】
は、第３ループ更新間隔
【数１０】
2011055506.tif 000012
【００５６】
のための消去しきい値である。
【００５７】
ΔＴＨupは消去しきい値のためのアップステップサイズである。
【００５８】
ΔＴＨdnは消去しきい値のためのダウンステップサイズである。
【００５９】
方程式（７）に示されるように、消去しきい値は悪いコードワードである各受信された周知のコードワードに対してΔＴＨdnだけ減少される。より低い消去しきい値は、より厳しい消去検出基準に相当し、消去されるとみなされる可能性がより高い受信されたコードワードを生じ、次にこれは、消去されないとみなされるとき、正しくデコードされる可能性がより高い受信されたコードワードを生じる。反対に、良好なコードワードである各受信された周知のコードワードに対してΔＴＨupだけ消去しきい値が増加される。より高い消去しきい値は厳しさの少ない消去検出基準に相当し、消去されるとみなされる可能性が少ない受信されたコードワードを生じ、次にこれは消去されないとみなされるときエラーデデコードされる可能性がより高い受信されたコードワードを生じる。消去しきい値は、消去される、受信された周知のコードワードに対して同じレベルで維持される。
【００６０】
消去しきい値を調節するためのΔＴＨupおよびΔＴＨdnステップサイズ以下の関係に基づいて設定されてもよい。
【数１１】
2011055506.tif 000013
【００６１】
例えば、制御チャネルのための目標条件エラーレートが１％なら、ダウンステップサイズはアップステップサイズの９９倍である。ΔＴＨupおよびΔＴＨdnの大きさは、受信されたシンボルの期待された大きさ、第３ループのための所望の収束レート、および恐らく他の因子に基づいて決定されてもよい。
【００６２】
一般的に、消去しきい値の調節は、消去検出のために使用される距離関数がどのように定義されるかに依存する。方程式（７）および（８）は方程式（２）に示されるように定義された距離関数に基づく。また、距離関数は他の方法（例えば、ｍ（ｋ）＝ｄn1（ｋ）／ｄn2（ｋ）の代わりにｍ（ｋ）＝ｄn2（ｋ）／ｄn1（ｋ））で定義されてもよい。この場合、消去しきい値の調節は、それに応じて変更されてもよい。また、調節可能な消去しきい値は任意の消去検出技術と組み合わせて用いて種々のチャネル条件に対して堅固な消去検出性能を達成してもよい。
【００６３】
消去しきい値
【数１２】
2011055506.tif 000014
【００６４】
は、種々の方法で動的に調節されてもよい。一実施形態において、基地局と通信している各端末のために別個の第３ループが基地局により維持される。この実施形態は、消去しきい値を端末毎に個々に調整可能とする。次に制御チャネル性能を端末に対して具体的に調整可能とする。例えば、異なる端末は異なる目標条件エラーレートを有していてもよい。これは、これらの端末のための別個の第３のループを動作させることにより達成されてもよい。他の実施形態において、単一の第３ループは、基地局と通信しているすべての端末のための基地局により維持される。次に、これらの端末のすべてのための消去検出のために共通の消去しきい値が使用され、また、これらの端末から基地局により受信された周知のコードワードに基づいて更新される。種々のチャネル条件の場合、これらの端末に対して制御チャネル性能が堅固であるなら、この実施形態は、すべての端末に対して良好な性能を提供する。各端末はより低いレート（例えば、数百ミリ秒毎に１回）で周知のコードワードを送信してもよいので、この実施形態は、第３ループに対してより高速な収束のレートを可能にするとともに、オーバーヘッドを低減する。さらに他の実施形態において、同じ制御チャネル性能を有する端末の各グループのために単一の第３ループが基地局により維持され、消去しきい値は、グループ内のすべての端末から基地局により受信された周知のコードワードに基づいて更新される。
【００６５】
内部ループ２１０、外部ループ２２０、および第３ループ２３０は典型的に異なるレートで更新される。内部ループは３つのループのうちで最も速いループであり、制御チャネルのための送信電力は特定のレート（例えば、毎秒１５０回）で更新されてもよい。外部ループ２２０は次に最も速いループであり、コードワードが制御チャネル上に受信されるときはいつでも目標ＳＮＲは更新されてもよい。第３ループ２３０は、最も遅いループであり、周知のコードワードが制御チャネル上で受信されるときはいつでも消去しきい値は更新されてもよい。３つのループのための更新レートは、消去検出おおよび電力制御のために所望の性能を達成するように選択されてもよい。
【００６６】
上述した実施形態の場合、目標条件エラーレートＰｒerrorは、制御チャネルのための性能の指標の１つとして使用され、第３ループはこのＰｒerrorを達成するように設計される。性能の他の指標が制御チャネルのために使用されてもよく、それに応じて第３ループが設計されてもよい。例えば、消去されるとみなされるとき、受信されたコードワードがエラーデコードされる目標の確率は、第３ループのために使用されてもよい。
【００６７】
図３Ａと図３Ｂは、電力制御機構３００の第２ループおよび第３ループを更新するためのプロセス３００のフロー図を示す。受信されたコードワードｋは最初に制御チャネルから得られる（ブロック３１２）。距離関数ｍ（ｋ）は、例えば上述したように受信されたコードワードに対して計算され（ブロック３１４）、消去しきい値と比較される（ブロック３１６）。ブロック３２０において決定されるように、計算された距離関数ｍ（ｋ）が消去しきい値以上なら、およびブロック３２２で決定されるように、受信されたコードワードが周知のコードワードでないなら、受信されたコードワードは、消去されたコードワードとして宣言される（ブロック３２４）。受信されたコードワードが周知であるかまたは周知でないかに関わらず、計算された距離関数ｍ（ｋ）が消去しきい値以上なら、ＳＮＲは、ΔＳＮＲupだけ増加される（ブロック３２６）。ブロック３２６の後、プロセスはブロック３１２に戻り、次の受信されたコードワードを処理する。
【００６８】
ブロック３２０において決定されるように、計算された距離関数ｍ（ｋ）が消去しきい値未満であり、ブロック３３２において決定されるように、受信されたコードワードが周知のコードワードでないなら、受信されたコードワードは非消去されたコードワードとして宣言され（ブロック３３４）、目標ＳＮＲは、ΔＳＮＲdnステップサイズだけ減少される（ブロック３３６）。プロセスはブロック３１２に戻り、次の受信されたコードワードを処理する。
【００６９】
ブロック３２０において決定されるように、計算された距離関数ｍ（ｋ）が消去しきい値未満であり、ブロック３３２において決定されるように、受信されたコードワードが周知のコードワードなら、（図３Ｂを参照して）受信されたコードワードはデコードされる（ブロック３４０）。ブロック３４２において、決定されるように、デコーディングが正しかったなら、受信された周知のコードワードは良好なコードワードとして宣言され（ブロック３４４）、消去しきい値はΔＴＨupステップサイズだけ増加される（ブロック３４６）。
【００７０】
さもなければ、ブロック３４２において決定されるように、デコーディングエラーがあったなら、受信された周知のコードワードは悪いコードワードとして宣言され（ブロック３５４）、消去しきい値は、ΔＴＨdnステップサイズだけ減少される（ブロック３５６）。ブロック３４６および３５６からプロセスは図３Ａのブロック３１２に戻り、次の受信されたコードワードを処理する。
【００７１】
上述するように、ここに記述された技術は、エラー検出コーディングを使用しない様々なタイプの物理チャネルのために使用されてもよい。例示データ送信スキームのためのこれらの技術の使用は以下に記載される。この送信スキームの場合、フォワードリンク送信を所望する端末は、（例えば、基地局により送信されるパイロットにもとづいて）サービスしている基地局のフォワードリンクの受信された信号品質を推定する。受信される信号品質推定値は、Ｌビット値に変換されてもよい。これはチャネル品質インジケーター（ＣＱＩ）と呼ばれる。ＣＱＩは、フォワードリンクのための受信されたＳＮＲ、フォワードリンクのためのサポートされたデータレート等を示してもよい。いずれの場合にも、ブロックコーディングがＣＱＩに対して実行され、ＣＱＩコードワードを得る。特定の例として、Ｌは４に等しくてもよく、ＣＱＩコードワードは１６ＱＰＳＫ変調シンボルすなわち［ｓi（１）ｓi（２）．．．ｓi（１６）］を含んでいてもよい。端末は（制御チャネルの１つである）ＣＱＩチャネル上のＣＱＩコードワードをサービング基地局に送信する。サービング基地局はＣＱＩチャネル上に送信されたＣＱＩコードワードを受信し受信されたＣＱＩコードワードに対して消去検出を実行する。受信されたＣＱＩコードワードが消去されないなら、サービング基地局は受信されたＣＱＩコードワードをデコードし、デコードされたＣＱＩを用いて端末のためのデータ送信をスケジュールする。エラー検出コーディングを採用しない「物理」チャネル（例えば、制御チャネルまたはデータチャネル）上の送信のための消去検出および電力制御を実行するための技術はここに記載される。データは、「コードワード」として物理チャネル上に送信される。この場合、各コードワードは、コード化されたまたは非コード化されたデータのブロックであってもよい。
【００７２】
消去検出の場合、送信エンティティ（例えば、無線端末）はコードワードを物理チャネル上に送信し、無線チャネルを介して受信エンティティ（例えば、基地局）に送信する。以下に記載するように、基地局は、各受信されたコードワードのための距離関数を計算し、計算された距離関数を消去しきい値と比較する。基地局は比較結果に基づいて、各受信されたコードワードは、「消去された」コードワードまたは「消去されない」コードワードであると宣言する。基地局は消去しきい値を動的に調節して性能の目標レベルを達成する。これは、消去されないコードワードであると宣言されるとき、受信されたコードワードがエラーでデコードされる確率を示す目標条件エラーレートにより定量化してもよい。消去しきい値は受信された周知のコードワードに基づいて調節されてもよい。これは、以下に記載するように、基地局と通信している端末により送信された周知のコードワードのための受信されたコードワードである。調節可能な消去しきい値は、種々のチャネル条件において堅固な消去検出性能を提供することができる。各端末の送信電力を制御するための電力制御機構は、受信された信号に対して目標消去レートを維持しようと試みる「結合された」ループを採用することにより実行することができる。外部ループ更新レートは、別個のループアルゴリズムに比べて高いので、結合されたアルゴリズムは、より高速に収束するであろう。これは、チャネルが高速に変化しているとき有効である。他の利点は、電力アップコマンドおよび電力ダウンコマンドは、端末から異なる基地局に物理チャネルの品質をアクセスするために使用されてもよい。この情報は、端末が２つ以上の基地局と通信しているとき有効である。例えば、「ハンドオフ」の期間、すなわち、端末がサービング基地局を変えようとしているとき、この情報を用いて、端末から異なる基地局への異なる物理チャネルの電力を調節してもよい。結合されたアルゴリズムが使用されないなら、端末から異なる基地局への物理チャネルの品質を決定するとき、端末において使用される他のチャネルを基地局は送信しなければならない。これはシステムキャパシティを減少させるであろう。
【００７３】
この方法において、基地局は、端末からの受信されたコードワードが消去されたかまたは消去されなかったかに応じて各端末に電力アップコマンドおよび電力ダウンコマンドを送信する。また、目標消去レートに応じて、基地局は以下をブロードキャストする：端末から送信されたコードワードが消去されるとき、基地局は、各端末に対して電力の増加を示す「ステップアップサイズ」パラメーターをブロードキャストする。端末から送信されたコードワードが消去されないとき、基地局は各端末に対して電力の減少を示す「ステップダウンサイズ」パラメーターをブロードキャストする。
【００７４】
図４は電力制御機構のためのプロセス４００のフロー図を示す。基地局１１０ｘは、基地局のコンポーネントの少なくとも１つ、例えば、コントローラー５７０、メモリ５７２、ＴＸデータプロセッサー５８２、ＲＸデータプロセッサー５６０等を利用してプロセス５００のステップを実行するように構成される。基地局１１０ｘがリバースリンク上の、上述したコードワードｋを受信するときプロセスは始まる。ステップ４０４において、基地局１１０ｘは上述した技術を用いて、消去しきい値要件を満足しない受信されたコードワードが消去されるかどうか決定する。受信されたコードワードｋが消去された（例えば、消去しきい値外）なら、基地局１１０ｘは、端末の送信電力のための「ステップアップサイズ」（値、Ｓupだけ増加する）のための電力制御メッセージを発生する。基地局１１
０ｘは、端末に送信されるＳup値およびＳdown値を決定する。この値は、目標消去に応じてまたはコードワードｋ値およびしきい値に応じて変化する。コードワードｋがしきい値に近づけば近づくほど、使用されるＳupおよびＳdownの値は少ない。コードワードが消去されなかった（例えば、消去しきい値内にある）なら、ステップ４０８において、基地局１１０ｘは、端末の送信電力のための「ステップダウンサイズ」（値、Ｓdownだけ減少する）のための電力制御メッセージを発生する。ステップ４１０において、基地局１１０ｘは、「消去された」または「消去されなかった」コードワードの数を監視するために使用されるデータベースを更新する。基地局１１０ｘは、要求される、反復される「ステップダウンサイズ」または「ステップアップサイズ」の数（例えば、同じタイプの要求の数）に基づいて、消去しきい値を調節してもよい。ステップ４１２において、基地局１１０ｘは、データベースからの情報を用いて、Ｓup値またはＳdown値、例えば、目標消去レートに関連するルックアップテーブルを決定してもよい。上述したように、他の例によれば、電力制御機構を用いて、消去しきい値と受信されたＳＮＲを動的に調節し、制御チャネルの所望の性能を達成してもよい。そのようなイベントにおいて、ＳupおよびＳdownは以下のように計算される：
Ｓup＝Ｓdown＊（１−Ｐｒerasure）／Ｐｒerasure。
【００７５】
ステップ４１４において、ＳupおよびＳdown値を含む電力制御メッセージは、移動局に送信される。上述した因子に基づいて送信されたメッセージを受信すると、端末は電力を調節し、要求された電力レベルを用いて他のコードワードを供給するであろう。
【００７６】
図５は、例示データ送信スキームに使用されるデータチャネルおよび制御チャネルのセットを示す。端末は、フォワードリンクの受信された信号品質を測定し、ＣＱＩコードワードをＣＱＩチャネル上に送信する。端末は連続的にフォワードリンク品質を測定し、更新されたＣＱＩコードワードをＣＱＩチャネル上に送信する。従って、消去されるとみなされた受信されたＣＱＩコードワードを破棄することはシステム性能に対して不利益ではない。フォワードリンク送信は、これらの消去されないＣＱＩコードワードに含まれる情報に基づいてスケジュールされてもよいので、消去されないとみなされる受信されたＣＱＩコードワードは、高品質でなければならない。
【００７７】
端末がフォワードリンク送信のためにスケジュールされるなら、サービング基地局は、データパケットを処理してコード化されたパケットを得、フォワードリンクデータチャネル上のコード化されたパケットを端末に送信する。ハイブリッド自動再送信スキーム（Ｈ−ＡＲＱ）の場合、各コード化されたパケットは複数のサブブロックに分割され、コード化されたパケットに対して一度に１つのサブブロックが送信される。与えられたコード化されたパケットのための各サブブロックは、フォワードリンクデータチャネル上で受信されるので、これまでパケットに対して受信されたすべてのサブブロックに基づいて端末はパケットをデコードし回復しようと試みる。受信された信号品質が質が悪いとき、デコーディングのために有効な冗長な情報をサブブロックは含むので、端末は、部分送信に基づいてパケットを回復することができるが、受信された信号品質が良好なときはそうする必
要は無いかもしれない。次に、パケットが正しくデコードされるなら、端末は、アクノレジメント（ＡＣＫ）をＡＣＫチャネル上に送信し、そうでなければ、否定アクノレジメント（ＮＡＫ）を送信する。このようにして、すべてのコード化されたパケットが端末に送信されるまで、フォワードリンク送信は続く。
【００７８】
ここに記載された技術は、ＣＱＩIチャネルのために有利に使用されてもよい。消去検出は、上述したように、各受信されたＣＱＩコードワードに対して実行されてもよい。ＣＱＩチャネルのための送信電力は、電力制御機構３００を用いて調節し、ＣＱＩチャネルのための所望の性能（例えば、所望の消去レートおよび所望条件エラーレート）を達成してもよい。また、他の制御チャネル（例えば、ＡＣＫチャネル）およびリバースリンクデータチャネルのための送信電力も、ＣＱＩチャネルのための電力制御送信電力に基づいて設定されてもよい。
【００７９】
明確にするために、消去検出および電力制御技術はリバースリンクの場合について具体的に記載した。これらの技術は、フォワードリンク上に送信された送信のための消去検出および電力制御に使用されてもよい。
【００８０】
図６は、基地局１１０ｘと端末１２０ｘの実施形態のブロック図を示す。リバースリンク上において、端末１２０ｘにおいて、送信（ＴＸ）データプロセッサー６１０は、リバースリンク（ＲＬ）トラヒックデータを受信して処理し（例えば、フォーマットし、符号化し、インターリーブし、変調する）、トラヒックデータのための変調シンボルを供給す
る。また、ＴＸデータプロセッサー６１０はコントローラー６２０からの制御データ（例えば、ＣＱＩ）を処理し、制御データのための変調シンボルを供給する。変調器（ＭＯＤ）６１２は、トラヒックおよび制御データおよびパイロットシンボルのための変調シンボルを処理し、複素数値チップのシーケンスを供給する。ＴＸデータプロセッサー６１０および変調器６１２により処理はシステムに依存する。例えば、変調器６１２は、システムがＯＦＤＭを利用しているならＯＦＤＭ変調を実行してもよい。送信機ユニット（ＴＭＴＲ）６１４はチップのシーケンスを条件づけし（例えば、アナログに変換し、増幅し、フィルターし、周波数アップコンバートする）、リバースリンク信号を発生する。リバースリンク信号はデュプレクサ（Ｄ）６１６を介して送られ、アンテナ６１８を介して送信される。
【００８１】
基地局１１０ｘにおいて、端末１２０ｘからのリバースリンク信号は、アンテナ６５２により受信され、デュプレクサ６５４を介して送られ、受信機ユニット（ＲＣＶＲ）６５６に供給される。受信機ユニット６５６は、受信した信号を条件づけし（例えば、フィルターし、増幅し、周波数ダウンコンバートする）、さらに条件づけされた信号をデジタル化してデータサンプルのストリームを得る。復調器（ＤＥＭＯＤ）６５８は、データサンプルを処理し、シンボル推定値を得る。次に、受信（ＲＸ）データプロセッサー６６０は、シンボル推定値を処理し（例えば、デインターリーブし、デコードする）、端末１２０ｘのためのデコードされたデータを得る。また、ＲＸデータプロセッサー６６０は、消去検出を実行し、電力制御のために使用される各受信されたコードワードのステータスをコントローラー６７０に供給する。消去しきい値と比較される受信されたコードワードの値に応じて、基地局１１０ｘは上述したように、目標消去レートを満足するために電力レベルを調節する。復調器６５８およびＲＸデータプロセッサーによる処理は、それぞれ変調器６１２およびＴＸデータプロセッサー６１０により実行される処理に相補的である。
【００８２】
フォワードリンク送信のための処理は、リバースリンクの場合に上述した方法と同様の方法で実行されてもよい。リバースリンク送信とフォワードリンク送信のための処理は典型的にシステムにより指定される。
【００８３】
リバースリンク電力制御の場合、ＳＮＲ推定器６７４は端末１２０ｘのための受信されたＳＮＲを推定し、受信されたＳＮＲをＴＰＣ発生器６７６に供給する。また、ＴＰＣ発生器６７６は、目標ＳＮＲを受信し、端末１２０ｘのためのＴＰＣコマンドを発生する。ＴＰＣコマンドは、ＴＸデータプロセッサー６８２により処理され、さらに変調器６８４により処理され、送信機ユニット６８６により条件付けされ、デュプレクサ６５４を介して送られ、アンテナ６５２を介して端末１２０ｘに送信される。
【００８４】
端末１２０ｘにおいて、基地局１１０ｘからのフォワードリンク信号は、アンテナ６１８により受信され、デュプレクサ６１６を介して送られ、受信機ユニット６４０により条件づけされデジタル化され、復調器６４２により処理され、ＲＸデータプロセッサー６４４によりさらに処理され、受信されたＴＰＣコマンドを得る。次に、ＴＰＣプロセッサー６２４は、受信されたＴＰＣコマンドを検出し、ＴＰＣ決定を得る。ＴＰＣ決定は、送信電力調節制御を発生するために使用される。上述したように、電力調節は、以前に送信したコードワード値と基地局１００ｘにより使用される消去しきい値の関係に依存して、基地局１１０ｘにより生じる。変調器６１２は、ＴＰＣプロセッサー６２４からの制御を受信し、リバースリンク送信のための送信電力を調節する。フォワードリンク電力制御は同様の方法で達成されてもよい。
【００８５】
コントローラー６２０および６７０は、それぞれ、端末１２０ｘと基地局１１０ｘ内の種々の処理ユニットの動作を指示する。また、コントローラー６２０および６７０は、フォワードリンクとリバースリンクのための消去検出と電力制御のための種々の機能を実行してもよい。例えば、各コントローラーは、そのリンクのためのＳＮＲ推定器、ＴＰＣ発生器、および目標ＳＮＲ調節ユニットを実施してもよい。また、コントローラー６７０とＲＸデータプロセッサー６６０は図３Ａおよび図３Ｂのプロセス３００を実施してもよい。メモリユニット６２２および６７２は、それぞれコントローラー６２０および６７０のためのデータおよびプログラムコードを記憶する。
【００８６】
ここに記載された消去検出技術および電力制御技術は種々の手段により実施されてもよい。例えば、これらの技術は、ハードウエア、ソフトウエア、またはそれらの組み合わせのなかで実施されてもよい。ハードウエア実施の場合、消去検出および／または電力制御を実行するために使用される処理ユニットは、１つ以上の特定用途向け集積回路（ＡＳＩＣｓ）、デジタルシグナルプロセッサー（ＤＳＰｓ）、デジタルシグナル処理装置（ＤＳＰＤｓ）、プログラマブルロジックデバイス（ＰＬＤｓ）、フィールドプログラマブルゲートアレイ（ＦＰＧＡｓ）、プロセッサー、コントローラー、マイクロコントローラー、マイクロプロセッサー、ここに記載された機能を実行するように設計された他の電子装置またはそれらの組み合わせ内において実施されてもよい。
【００８７】
ソフトウエア実施の場合、ここに記載された技術は、ここに記載された機能を実行するモジュール（例えば、手続、機能等）を用いて実施してもよい。ソフトウエアコードは、メモリユニット（例えば、図６のメモリユニット６７２）に記憶し、プロセッサー（例えば、コントローラー６７０）により実行されてもよい。メモリユニットはプロセッサー内部で実施してもよいし、またはプロセッサー外部で実施してもよい。プロセッサー外部で実施する場合、技術的に知られた種々の手段を介してプロセッサーに通信可能に接続することができる。
【００８８】
開示された上述の記述は当業者がこの発明を製作しまたは使用することを可能にするために提供される。これらの実施形態に対する種々の変更は当業者には容易に明白であり、ここで定義される包括的原理は、この発明の精神と範囲を逸脱することなく他の実施形態に適用されてもよい。従って、この発明は、ここに示される実施形態に限定されることを意図したものではなく、ここに開示された原理および新規な特徴と一致する最も広い範囲が許容されるべきである。
【図１】
2011055506.tif 000015
【図２】
2011055506.tif 000016
【図３Ａ】
2011055506.tif 000017
【図３Ｂ】
2011055506.tif 000018
【図４】
2011055506.tif 000019
【図５】
2011055506.tif 000020
【図６】
2011055506.tif 000021
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
通信システムにおいて電力制御を実行する方法において、
第１の無線リンクを介してコードワードを受信することと、
前記コードワードが前記消去しきい値内にあったかどうかに基づいて前記電力を調節するためのメッセージを発生することと、
前記メッセージを第２無線リンク上に送信することと、
を備えた方法。
【外国語明細書】
2011055506000001.pdf